(57)【要約】【課題】センサが破損した場合であっても、回路基板を再利用することができる生体情報検出センサを提供する。【解決手段】利用者の測定部位Ｔと接して生体情報を検出する生体情報検出センサにおいて、利用者の測定部位Ｔと接する接触面Ｓを有し、嵌合により組み立て可能な分割式のケース３６（上ケース３７、下ケース３８）と、ケース内に収容され、ケースの外側に延出するケーブル２０が接続される回路基板３５と、ケース３６に取り付けられ、接触面Ｓから表出して測定部位と接する一方、ケース３６を分割した状態で回路基板３５を着脱可能に支持するアース端子４４とを備えた。【選択図】図４
2009183439.tif 000002
【特許請求の範囲】
【請求項１】
利用者の測定部位と接して生体情報を検出する生体情報検出センサにおいて、
前記利用者の測定部位と接する接触面を有し、嵌合により組み立て可能な分割式のケー
スと、
前記ケース内に収容され、前記ケースの外側に延出するケーブルが接続される回路基板
と、
前記ケースに取り付けられ、前記接触面から表出して前記測定部位と接する一方、前記
ケースを分割した状態で前記回路基板を着脱可能に支持するアース端子と
を備えたことを特徴とする生体情報検出センサ。
【請求項２】
前記アース端子がフランジ部を備え、前記回路基板は、このフランジ部と協働して前記
ケースを挟み込む態様で取り付けられることを特徴とする請求項１に記載の生体情報検出
センサ。
【請求項３】
前記分割式のケースのいずれか一方には前記ケーブルを挿通させるケーブル用穴が形成
され、このケーブル用穴の近傍に前記ケースを嵌合させる嵌合部を形成したことを特徴と
する請求項１または請求項２に記載の生体情報検出センサ。
【請求項４】
前記ケーブルに挿通され、前記ケーブル用穴と係合するケーブル止め金具を設け、この
ケーブル止め金具を前記ケーブルにかしめて取り付けたことを特徴とする請求項３に記載
の生体情報検出センサ。
【請求項５】
前記ケーブル止め金具に前記ケーブルの引き出し方向へ延びるスリットを設けたことを
特徴とする請求項４に記載の生体情報検出センサ。
【請求項６】
前記分割式のケースの分割面および前記ケーブル用穴の内周面に防水用のパッキンを設
けたことを特徴とする請求項３から請求項５に記載の生体情報検出センサ。
【請求項７】
利用者の測定部位と接して生体情報を検出する生体情報検出センサの組立方法において
、
前記生体情報検出センサは、嵌合させて組立可能な分割式のケースと、このケースの内
部に収容される回路基板と、この回路基板に接続されるケーブルに挿通される筒形状のケ
ーブル止め金具とを備え、
前記分割式のケースのいずれか一つに形成されたケーブル用穴に、前記ケーブル及びケ
ーブル止め金具を挿通し、前記回路基板を前記ケースに設けたアース端子に支持させた後
に前記ケースを嵌合によって取り付け、前記ケーブル止め金具を前記ケーブルにかしめて
取り付けたことを特徴とする生体情報検出センサの組立方法。
【発明の詳細な説明】
【技術分野】
【０００１】
本発明は、利用者の体の一部に密着させて生体情報を検出するための生体情報検出セン
サに関する。
【背景技術】
【０００２】
従来、利用者の手指の腹側の面（指の手の平側）にセンサを装着して血量変化等を検出
し、腕部に装着された装置本体部に脈拍等の生体情報を表示する腕装着型生体情報測定装
置が知られている。
このセンサは、上ケースと下ケースによって外側が構成されており、このケース内部に
は、ＬＥＤやフォトトランジスタが搭載され、ケースの外側に延在するケーブルが接続さ
れた回路基板が収容されている。また、センサには、回路基板の電圧調整用のアース端子
などが設けられている。また、ケースには、利用者の手指と対向して密着する位置に透光
板が設けられ、この透光板からＬＥＤの光を送受信することができるようになっている（
例えば、特許文献１参照）。
【０００３】
このようなセンサは、手指に装着可能なほどに小型なものであり、組み立て及び分解が
困難である。そのため、上ケースと下ケースとの接合面および回路基板やケーブルは、接
着剤によって固定され、分解最組み立てができない構造となっている。
【特許文献１】特開平９−１０８１９２号公報
【発明の開示】
【発明が解決しようとする課題】
【０００４】
上述のような構造のセンサでは、前記接着剤が回路基板表面にも流出付着しているため
、センサが破損した場合、その全部を新しいものに交換することになる。しかしながら、
回路基板は高価であり、回路基板に損傷がない限りできるだけ最利用することが望まれる
。
【０００５】
そこで、本発明の目的は、上述した従来の技術が有する課題を解消し、センサが破損し
た場合であっても、回路基板を再利用することができる生体情報検出センサを提供するこ
とにある。
【課題を解決するための手段】
【０００６】
上記課題を解決するため、本発明は、利用者の測定部位と接して生体情報を検出する生
体情報検出センサにおいて、前記利用者の測定部位と接する接触面を有し、嵌合により組
み立て可能な分割式のケースと、前記ケース内に収容され、前記ケースの外側に延出する
ケーブルが接続される回路基板と、前記ケースに取り付けられ、前記接触面から表出して
前記測定部位と接する一方、前記ケースを分割した状態で前記回路基板を着脱可能に支持
するアース端子とを備えたことを特徴とする。
【０００７】
この場合において、前記アース端子がフランジ部を備え、前記回路基板は、このフラン
ジ部と協働して前記ケースを挟み込む態様で取り付けられていてもよい。
また、生体情報検出センサであって、前記分割式のケースのいずれか一方には前記ケー
ブルを挿通させるケーブル用穴が形成され、このケーブル用穴の近傍に前記ケースを嵌合
させる嵌合部を形成することもできる。
【０００８】
また、生体情報検出センサであって、前記ケーブルの外周面を覆い、前記ケーブル用穴
と係合するケーブル止め金具を設け、このケーブル止め金具を前記ケーブルにかしめて取
り付けることもできる。
さらに、生体情報検出センサであって、前記ケーブル止め金具に前記ケーブルの引き出
し方向へ延びるスリットを設けることもできる。
さらにまた、生体情報検出センサであって、前記分割式のケースの分割面および前記ケ
ーブル用穴の内周面に防水用のパッキンを設けてもよい。
【０００９】
他方、利用者の測定部位と接して生体情報を検出する生体情報検出センサの組立方法に
おいて、前記生体情報検出センサは、嵌合させて組立可能な分割式のケースと、このケー
スの内部に収容される回路基板と、この回路基板に接続されるケーブルに挿通される筒形
状のケーブル止め金具とを備え、前記分割式のケースのいずれか一つに形成されたケーブ
ル用穴に、前記ケーブル及びケーブル止め金具を挿通し、前記回路基板を前記ケースに設
けたアース端子に支持させた後に前記ケースを嵌合によって取り付け、前記ケーブル止め
金具を前記ケーブルにかしめて取り付けたことを特徴とする。
【発明の効果】
【００１０】
本発明では、利用者の測定部位と接する接触面を有し、嵌合により組み立て可能な分割
式のケースと、前記ケース内に収容され、前記ケースの外側に延出するケーブルが接続さ
れる回路基板と、前記ケースに取り付けられ、前記接触面から表出して前記測定部位と接
する一方、前記ケースを分割した状態で前記回路基板を着脱可能に支持するアース端子と
を備えているので、ケース同士、およびケースと基板とが接着によって固定されていない
ため、センサの外部に損傷が生じた場合であっても、ケースを分割して回路基板をケース
から取り外すことができる。これにより、高価な回路基板をそのまま再利用することがで
きる。また、回路基板をアース端子で着脱可能にしているので、ケースに取り付ける場合
と比較して、より強固に取り付けられると共に、着脱時に取付部が破損する可能性が低い
。
【発明を実施するための最良の形態】
【００１１】
以下、本発明の実施の形態に係る生体情報検出センサについて説明する。図１は、本発
明の実施の形態に係る生体情報検出センサを用いた腕装着型生体情報測定装置１を利用者
の腕部に装着した状態を示す概要図である。また、図２は指部Ｔに生体情報検出センサを
装着した状態を示す一部断面図である。
本実施の形態で示す腕装着型生体情報測定装置１とは、生体情報として脈拍を用い、生
体情報値として脈拍数を検出するものである。この腕装着型生体情報測定装置１は、例え
ば、利用者が運動（ランニングなど）をしているときであっても、生体情報を確認するこ
とができるものである。本実施の形態では、生体情報として脈拍数を測定する場合につい
て説明する。
【００１２】
腕装着型生体情報測定装置１は、腕時計構造を有する装置本体部１０と、この装置本体
部１０に接続されるケーブル２０と、このケーブル２０の先端に設けられた脈波センサ３
０（センサ）と、脈波センサ３０を挟み込む態様で利用者の指部Ｔ（測定部位）に装着す
るセンサ装着用サポーター４０とを備えている。センサ装着用サポーター４０は、図１に
示すように、左手の人差し指に装着される。
【００１３】
装置本体部１０には、腕時計における１２時方向から腕に巻き付いてその６時方向で固
定されるリストバンド１２が設けられている。このリストバンド１２によって、装置本体
部１０は、腕に着脱自在に装着されている。また、装置本体部１０の６時の側には、コネ
クタ部７０が設けられており、このコネクタ部７０にケーブル２０の一端側に設けられた
コネクタピース８０が着脱自在に取り付けられるようになっている。
【００１４】
図３は、装置本体部１０を単体で示す平面図であって、リストバンド１２を仮想線で示
したものである。
装置本体部１０は、樹脂製の時計ケース１１を備えている。時計ケース１１の表面側に
は、現在時刻や日付に加えて、走行時や歩行時のピッチ、及び脈拍数などを表示するＥＬ
バックライト付きの液晶表示装置１３が設けられている。液晶表示装置１３には、表示面
の左上側に位置する第１のセグメント表示領域１３１、右上側に位置する第２のセグメン
ト表示領域１３２、右下側に位置する第３のセグメント表示領域１３３、及び左下側に位
置するドット表示領域１３４が構成されており、ドット表示領域１３４では、各種の情報
をグラフィック表示可能である。
時計ケース１１は、走行時や歩行時のピッチを求めるための体動センサ（図示略）を内
蔵している。この体動センサとしては、加速度センサなどを用いることができる。
【００１５】
また、時計ケース１１の内部には、各種の制御やデータ処理を行う制御部５が設けられ
ている。この制御部５は、上述した体動センサによる検出結果及び脈波センサ３０による
検出結果に基づいて、測定対象者である利用者の脈拍数を解析し、液晶表示装置１３に表
示する。この場合において、制御部５には、計時回路も構成されているため、時刻なども
液晶表示装置１３に表示可能となっている。
【００１６】
時計ケース１１の外周部には、入力装置を構成し、時刻合わせや表示モードの切り換え
などの外部操作を行うためのボタンスイッチ１１１〜１１５が設けられている。また、時
計ケース１１の表面には、同じく、入力装置を構成する大きめのボタンスイッチ１１６、
１１７が構成されている。
また、腕装着型生体情報測定装置１の電源は、時計ケース１１に内蔵されているボタン
形の小型の電池５９であり、ケーブル２０は、電池５９から脈波センサ３０に電力を供給
するとともに、脈波センサ３０の検出結果を時計ケース１１の制御部５に入力している。
【００１７】
図４は、脈波センサ３０の分解斜視図である。また、図５は、脈波センサ３０の断面図
、図６は、図５の状態から下ケース３８を分解した状態を示す断面図である。なお、以下
の説明で使用する方向は、利用者の指部Ｔと接触する方向を上方向とする。また、ケーブ
ル２０の延在する方向に対して直交する方向（図５及び図６の紙面奥行き方向）を幅方向
として説明する。
【００１８】
脈波センサ３０は、図４〜図６に示すように、その外形状が略直方体をなしており、上
下２分割のケース３６（上ケース３７及び下ケース３８で構成される）と、この上ケース
３７および下ケース３８との間に介在するパッキン５１と、上ケース３７および下ケース
３８で囲まれた内部空間６１に密閉収容される回路基板３５と、この回路基板３５をアー
スするための２つのアース端子４４とで構成されている。この回路基板３５には、光検出
用のＬＥＤ３１とフォトトランジスタ３２とが搭載されている。また、回路基板３５には
、ケーブル２０の他端側が接続されている。
【００１９】
上ケース３７は、その上面に接触面Ｓを有しており、この接触面Ｓは、利用者の手指の
腹側の面に押圧されて密着可能なようにほぼ平滑な面を構成している。また、上ケース３
７は、２種類の異なる材料によって２色成形されており、上ケース３７の全体が樹脂で成
形される一方、接触面Ｓの一部がガラス板からなる透光板３４が形成されている。この透
光板３４には、ＬＥＤ３１の発光面及びフォトトランジスタ３２の受光面が向けられてい
る。すなわち、透光板３４は、利用者の指部Ｔに向けて光を発光及び受光できる光透過窓
として機能している。また、上ケース３７の全体は、この透光板３４以外からの入光を防
止すべく、黒色等の樹脂材料が使用されている。
【００２０】
この透光板３４の幅方向の両側には、図４に示すように、アース端子４４が取り付けら
れる取付穴６６がそれぞれ形成されている。この取付穴６６は、上ケース３７の接触面Ｓ
から回路基板３５と面する内面まで貫通している。また、取付穴６６の周囲には、接触面
Ｓよりも下側に凹ませた凹部５０がそれぞれ形成されている。
【００２１】
アース端子４４は、金属材料が用いられ、図４に示すように、取付穴６６に挿入される
ボス部４４ｂと、このボス部４４ｂの上側に位置し、ケーブル２０の延在する方向に向か
って張り出す態様のフランジ部４４ａとで構成されている。このアース端子４４は、取付
穴６６にパッキン４９を介して取り付けられる。また、アース端子４４は、取付穴６６に
挿入されると、フランジ部４４ａが上述した凹部５０に嵌り込み、アース端子４４の上面
４４ｃが接触面Ｓに表出するようになる。この上面４４ｃと接触面Ｓとは、ほぼ同一面を
構成する。
【００２２】
また、下ケース３８は、図４〜図６に示すように、その下面に押圧面Ｐを有しており、
この押圧面Ｐは、センサ装着用サポーター４０と密着して押圧力を受けることにより、接
触面Ｓを利用者の指部Ｔに押圧する。この押圧面Ｐには、センサ装着用サポーター４０に
向けて突出し、このセンサ装着用サポーター４０の内周面と係合して脈拍センサ３０の位
置ずれを防止する突起３９が形成されている。また、下ケース３８も上ケース３７と同様
に、ケース外側から脈拍センサ３０の内部に光が入り込まないように、黒色等の樹脂材料
が使用されている。
【００２３】
上ケース３７の先端部３７ａ（図５〜図６における右側先端部）には、下ケース３８に
向けて突出する内壁部４１が形成されている。この内壁部４１は、脈波センサ３０の幅方
向に亘って連続して設けられている。この内壁部４１の外側面には、２つの段差部４１ａ
が形成されている。
一方、下ケース３８の先端部には、上ケース３７に向けて突出する外壁部５２が脈波セ
ンサ３０の幅方向に亘って連続して設けられている。この外壁部５２の内側面には、上ケ
ース３７の内壁部４１の２つの段差部４１ａと当接する２つの段差部５２ａが形成されて
いる。
【００２４】
上ケース３７と下ケース３８とを組み立てた状態では、図５及び図６に示すように、段
差部４１ａ及び５２ａは、それぞれの面がすき間なく接触するようになり、上ケース３７
と下ケース３８との位置が規制されることになる。また、下ケース３８の外壁部５２の内
側には、上ケース３７の内壁部４１を内側から挟む態様で挟持壁部６０が設けられている
。この挟持壁部６０と外壁部５２との間であって、内壁部４１の先端部の下側には、パッ
キン５１を挿入するための溝が構成される。
【００２５】
上ケース３７の内壁部４１の両側角部には、この角部を面取りしたような角面４５がそ
れぞれ形成されている。この角面４５には、外側に突出する受け部４６がそれぞれ形成さ
れている。
一方、下ケース３８の外壁部５２の両側角部には、受け部４６と対応する位置に、上ケ
ース３７と下ケース３８とを組み立てたときに係合する爪部５４がそれぞれ形成されてい
る。この爪部５４は下ケース３８の上側部分から内方に向けて突出し、受け部４６の上側
面と係合する。
このような角部に爪部５４と受け部４６を設けることにより、上ケース３７と下ケース
３８との幅方向における位置が規制されることになる。
【００２６】
上ケース３７の幅方向の両側には、図４に示すように、下ケース３８に向けて突出する
側壁部５５がそれぞれ形成されている。一方、下ケース３８の幅方向の両側には、上ケー
ス３７に向けて突出する側壁部５３がそれぞれ形成されている。
これらの側壁部５３、５５は、ケース３６の上下方向の中央部（内壁部４１のほぼ中央
部部）まで突出しており、この中央部でそれぞれの側壁部５３、５５の先端が付き合うよ
うになり、上ケース３７と下ケース３８とがこの中央部で分割される。
【００２７】
また、上ケース３７の基端部３７ｂ（図５、図６における左側端部。ケーブル２０が引
き出される部分）には、側壁部５５と同様に、下ケース３８に向けて突出する基端部側壁
部４８が形成されている。一方、下ケース３８の基端部には、上ケース３７に向けて突出
する基端部側壁部５６が形成されている。
これらの基端部側壁部４８、５６は、ケース３６の上下方向の中央部まで突出しており
、この中央部でそれぞれの基端部側壁部４８、５６の先端が付き合うようになる。
【００２８】
また、この基端部３７ｂからは、ケース３６の内側から外側にケーブル２０が引き出さ
れる。この基端部３７ｂには、引き出されるケーブル２０を支持するためのケーブル支持
部４２が形成されており、このケーブル支持部４２は、上ケース３７の幅方向の中央部に
位置する外側支持部４２ａと内側支持部４２ｂとで構成されている。
外側支持部４２ａは、基端部側壁部４８からケーブル２０に沿ってケース３６の外側に
延びている。また、外側支持部４２ａには、ケーブル２０の外周に沿うように半円弧状の
溝６８が形成されている。この半円弧状の溝は、ケーブル２０の上側の半分を覆うように
なる。
内側支持部４２ｂは、基端部側壁部４８からケーブル２０に沿ってケース３６の内側に
延びている。また、内側支持部４２ｂには、ケーブル２０の外周に沿うようにケーブル用
穴４３が形成されている。
【００２９】
一方、下ケース３８の基端部にも、基端部側壁部５６からケーブル２０に沿って外側に
延び、ケーブル２０の下側の半分を覆う半円弧状の溝６９を有する外側支持部５７が形成
されている。この外側支持部４２ａ、５７の半円弧状の溝６８、６９は、上ケース３７と
下ケース３８とが組み合わされた状態で、ケーブル２０の外周を覆うようになる。
【００３０】
また、この基端部には、上ケース３７と下ケース３８とを嵌合させるための嵌合部が形
成されている。この嵌合部は、上ケース３７のケーブル支持部４２の両側の近傍に位置す
る嵌合爪部４７と、この嵌合爪部４７と対応する位置であって、下ケース３８の外側支持
部５７の近傍に位置する嵌合受け部５８とで構成されている。
【００３１】
嵌合爪部４７は、下ケース３８に向けて延びる腕部４７ａと、この腕部４７ａの先端か
ら、外側（ケーブル２０の引き出し方向）に向けて突出する爪部４７ｂとで構成されてい
る。この腕部４７ａは弾性を有しており、上ケース３７と下ケース３８との着脱時にそれ
ぞれ撓むことにより嵌合が可能となる。一方、下ケース３８の嵌合受け部５８は、爪部４
７ｂと係合可能な係合面（図示せず）を備えている。
【００３２】
また、上ケース３７の内側支持部４２ｂの下側には、図５及び図６に示すように、パッ
キン５１が嵌り込む溝部が形成されている。このパッキン５１は、図４に示すように円環
状をなしており、上ケース３７と下ケース３８とを組み合わせたときに、回路基板３５が
収納される内部空間６１を密閉し、この内部空間６１に利用者の汗や水等が入り込まない
ように機能している。
【００３３】
回路基板３５は、図５及び図６に示すように、回路基板３５の上面と接触面Ｓとがほぼ
平行になるように配置されている。この基板上面には、上述した透光板３４と対向する位
置にＬＥＤ３１及びフォトトランジスタ３２が配置されている。
なお、本実施形態では、ＬＥＤ３１として、ＩｎＧａＮ系（インジウム−ガリウム−窒
素系）の青色ＬＥＤを用いてあり、その発光スペクトルは、４５０ｎｍに発光ピークを有
している。さらにＬＥＤ３１の発光波長領域は、３５０ｎｍから６００ｎｍまでの範囲に
ある。かかる発光特性を有するＬＥＤ３１に対応させて、本例では、フォトトランジスタ
３２として、ＧａＡｓＰ系（ガリウム−砒素−リン系）のフォトトランジスタを用いてい
る。フォトトランジスタ３２自身の受光波長領域は、主要感度領域が３００ｎｍから６０
０ｎｍまでの範囲にあって、３００ｎｍ以下にも感度領域がある。
【００３４】
脈波センサ３０をセンサ装着用サポーター４０によって指部Ｔに装着し、この状態で、
ＬＥＤ３１から指に向けて光を照射すると、この光が血管に届いて血液中のヘモグロビン
によって光の一部が吸収され、一部が反射する。指（血管）から反射してきた光は、フォ
トトランジスタ３２によって受光され、その受光量変化が血量変化（血液の脈波）に対応
する。すなわち、血量が多いときには、反射光が弱くなる一方、血量が少なくなると、反
射光が強くなるので、反射光強度の変化を検出すれば、脈拍数を含む各種生体情報などを
計測できる。
【００３５】
回路基板３５には、図４に示すように、上ケース３７に固定するための切欠き３５ａが
形成されている。この切欠き３５ａには、その下側から上ケース３７に向けて取付ねじ６
２が挿入される。この取付ねじ６２は、アース端子４４のボス部４４ｂに設けられた雌ね
じ部と螺合するようになっており、この取付ねじ６２を締め付けると、回路基板３５は、
アース端子４４のフランジ部４４ａと取付ねじ６２とによって上ケース３７を挟み込む態
様（協働）で固定される。また、取付ねじ６２を締め付けることにより、アース端子４４
も上ケース３７に固定されることになる。
また、アース端子４４は、回路基板３５と電気的に導通しており、アース端子４４の上
面４４ｃが利用者の指部Ｔに接触したときに、回路基板３５のアースをすることができる
ようになっている。
【００３６】
他方、回路基板３５は、ケーブル２０を上ケース３７のケーブル用穴４３に挿通させた
後に固定される。このケーブル２０には、図４に示すように、ケーブル止め金具６３と２
本のパッキン６４とが挿通される。
【００３７】
図７は、ケーブル止め金具６３とパッキン６４とをケーブル用穴４３に取り付けた状態
を示す拡大断面図である。
ケーブル用穴４３は、図７に示すように、回路基板３５側から順に、第１穴部４３ａ、
第２穴部４３ｂ、第３穴部４３ｃで構成されている。
第１穴部４３ａは、ケーブル２０の直径よりも若干大きな穴径を有しており、ケーブル
２０を容易に挿通させることができるようになっている。
第２穴部４３ｂは、第１穴部４３ａよりも穴径が大きく、ケーブル２０と第２穴部４３
ｂとの間にパッキン６４を挿入できるようになっている。
第３穴部４３ｃは、第２穴部４３ｂよりもさらに穴径が大きくなっている。
【００３８】
ケーブル止め金具６３は、筒状に形成されており、その内部にケーブル２０を通すこと
ができるようになっている。また、ケーブル止め金具６３は、ケーブル２０の長手方向に
自由に移動させることができる。
ケーブル止め金具６３の左側部分には、その左側端縁部からケーブル２０の挿通方向に
延びるスリット６５が形成されている。また、ケーブル止め金具６３の右側の先端部には
、外周面から外側に突出する係止爪６７が設けられている。この係止爪６７の外周の直径
は、第３穴部４３ｃの内周面の穴径と同程度であり、それぞれの面同士が接することにな
る。
【００３９】
ケーブル止め金具６３は、ケーブル用穴４３に取り付けられた状態では、図７に示すよ
うに、左側部分（スリット６５が設けられている部分）がケース２６の外側にはみ出す態
様で取り付けられる。このはみ出した部分は、かしめることによりケーブル止め金具６３
とケーブル２０とが固定されるようになっている。
また、下ケース３８の外側支持部５７の半円弧状の溝６９とケーブル止め金具６３の係
止爪６７とは、上ケース３７と下ケース３８とを組み合わせた状態で係合し、ケーブル止
め金具６３とケース３６との左右の位置を規制している。
【００４０】
パッキン６４は、リング形状のものであり、ケーブル用穴４３を封印し、このケーブル
用穴４３から脈波センサ３０の内部に利用者の汗等が入り込まないようにする機能を果た
している。
【００４１】
次に、脈波センサ３０の組立方法を図４を用いて説明する。
まず、回路基板３５にケーブル２０の一端を接続し、このケーブル２０を上ケース３７
のケーブル用穴４３、パッキン６４、及びケーブル止め金具６３の順に挿通し、アース端
子４４を取付穴６６に挿入した後に、回路基板３５をアース端子４４に取付ねじ６２を用
いて取り付ける。この手順では、回路基板３５をケース３６に接着剤等で固着することが
なく、自由に取り付けまたは取り外しができる。
その次に、パッキン６４およびケーブル止め金具６３をケーブル用穴４３の所定の位置
に配置した後に、上ケース３７と下ケース３８とをパッキン５１を介して嵌合させて組み
付ける。この嵌合は、基端部３７ｂ側の嵌合爪部４７と嵌合受け部５８、先端部３７ａ側
の爪部５４と受け部４６が嵌合することにより行われる。この手順でも、上ケース３７と
下ケース３８とは接着剤等で固着されておらず、自由に着脱することができる。
【００４２】
その後、ケース３６の外側に位置するケーブル止め金具６３のスリット６５を設けた部
分をかしめる。このかしめは、図７に示すように、ケース３６の外側にはみ出たケーブル
止め金具６３（図７で波線で示す）をケーブル２０の半径方向に押し込む（図７で実線で
示す）ことにより行われ、ケーブル止め金具６３とケーブル２０とが密着するようになる
。このかしめ作業は、ケーブル止め金具６３がスリット６５を有しているので、容易に行
うことができる。これにより、ケーブル２０は、ケーブル止め金具６３によって、ケース
３６及びケーブル２０とに確実に固定されるようになる。
【００４３】
上述のように組み立てられた脈波センサ３０は、接着剤等が使用されていないため、上
ケース３７と下ケース３８との嵌合を外して分割し、回路基板３５とアース端子４４とを
固定する２つの取付ねじ６２を取り外すことで、回路基板３５をケーブル２０ごと取り出
すことができる。
【００４４】
本発明の実施の形態に係る生体情報検出センサによれば、利用者の指部Ｔと接する接触
面Ｓを有し、嵌合により組み立て可能な分割式のケース３６（上ケース３７および下ケー
ス３８）と、ケース３６内に収容され、ケース３６の外側に延出するケーブル２０が接続
される回路基板３５と、ケース３６に取り付けられ、接触面Ｓから表出して利用者の指部
Ｔと接する一方、上ケース３７と下ケース３８とを分割した状態で回路基板３５を着脱可
能に支持するアース端子４４とを備えているので、上ケース３７と下ケース３８、および
ケース３６と回路基板とが接着によって固定されていないため、脈波センサ３０に損傷が
生じた場合であっても、上ケース３７と下ケース３８とを分割して回路基板３５をケース
３６から取り外すことができる。これにより、回路基板３５をそのまま再利用することが
できる。また、回路基板３５をアース端子４４に取付ねじ６２を用いて着脱可能に取り付
けているので、ケース３６に取り付ける場合と比較して、より強固に取り付けられると共
に、着脱時に取付部が破損する可能性を低くすることができる。
【００４５】
また、アース端子４４がフランジ部４４ａを備え、回路基板３５は、このフランジ部４
４ａと共に上ケース３７を挟み込む態様で取り付けられているので、接着剤等で回路基板
３５を固定する必要がない。また、回路基板３５と共にアース端子４４も上ケース３７に
固定することができ、アース端子４４を別個に取り付ける構造と比較して、構造が簡素化
される。
【００４６】
さらに、上ケース３７にはケーブル２０を挿通させるケーブル用穴４３が形成され、こ
のケーブル用穴４３の近傍に上ケース３７と下ケース３８とを嵌合させる嵌合爪部４７お
よび嵌合受け部５８（嵌合部）を形成しているので、ケーブル２０をより確実に固定する
ことができる。そのため、ケーブル２０と回路基板３５との接続部に大きな負荷が作用し
ないようにすることができる。
【００４７】
また、ケーブル２０に挿通され、ケーブル用穴４３と係合するケーブル止め金具６３を
設け、このケーブル止め金具６３をケーブル２０にかしめて取り付けているので、ケーブ
ル２０とケース２６とをさらに強固に固定することができる。
【００４８】
さらにまた、ケーブル止め金具６３にケーブル２０の引き出し方向へ延びるスリット６
５を設けているので、ケーブル止め金具６３のかしめ部分を容易にかしめることができ、
かしめ作業を容易に行うことができる。
【００４９】
また、上ケース３７と下ケース３８との分割面およびケーブル用穴４３の内周面に防水
用のパッキン５１、６４を設けているので、脈波センサ３０の内部に利用者の汗や屋外で
使用するときの雨水等が入り込まないようにすることができる。
【００５０】
他方、本発明の実施の形態に係る生体情報検出センサの組立方法によれば、回路基板３
５に接続されたケーブル２０に、筒型形状のケーブル止め金具６３と、嵌合させて組み立
て可能なケース３６のうちの上ケース３７に形成されたケーブル用穴４３とを挿通し、回
路基板３５をケース３６に設けたアース端子４４に支持させた後に上ケース３７と下ケー
ス３８とを嵌合によって取り付け、ケーブル止め金具６３をケーブル２０にかしめて取り
付けているので、回路基板３５、上ケース３７、下ケース３８を組み立てる際に接着剤等
で固着することがない。そのため、脈波センサ３０に損傷が生じた場合であっても、逆の
手順で上ケース３７と下ケース３８とを分割して回路基板３５をケース３６から取り外す
ことができる。これにより、回路基板３５をそのまま再利用することができる。
【００５１】
以上、本発明の実施の形態について述べたが、本発明は既述の実施形態に限定されるも
のではなく、本発明の技術思想に基づいて各種の変形および変更が可能である。
本実施の形態では、ケーブル用穴４３を上ケース３７に設けているが、下ケース３８に
設けていてもよい。この構成でも、ケーブル２０をケース３６に保持させ、ケーブル２０
と回路基板３５との接続部に過大な力が作用しないようにすることができる。
【００５２】
また、本実施の形態では、回路基板３５をアース端子４４に取付ねじ６２を用いて取り
付けているが、アース端子４４が回路基板３５を着脱可能に支持する構造であれば、例え
ば係止爪によって係止される構造であってもよい。この構成であっても、回路基板３５を
ケース３６から取り出して、回路基板３５を再利用することができる。
【００５３】
さらに、本実施の形態では、ケース３６を上ケース３７と下ケース３８とで２分割構造
にしているが、３分割以上であってもかまわない。すなわち、嵌合等によって着脱可能な
構造であれば、その内部に収納した回路基板３５をケースの外側に取り出すことができ、
回路基板３５を再利用することができる。
【００５４】
また、脈波センサ３０を利用者の左手の人差し指に装着しているが、他の指であっても
かまわない。また、測定装置の態様によっては、利用者の腕部、足部など、人体において
装着可能な部位に適宜装着することができる。
【００５５】
他方、本実施の形態では、生体情報として脈拍数を表示するように説明したが、脈拍数
に限らない。例えば、生体情報として、体温、血圧、脈波、動脈血中の酸素飽和度、体動
等が具体例として挙げられる。
【図面の簡単な説明】
【００５６】
【図１】実施の形態に係る腕装着型生体情報測定装置を示す概要図である。
【図２】指部に生体情報検出センサを取り付けた状態を示す一部断面図である。
【図３】装置本体部を単体で示す平面図である。
【図４】生体情報検出センサの分解斜視図である。
【図５】脈波センサの断面図である。
【図６】図５の状態から下ケースを外した状態を示す断面図である。
【図７】ケーブル止め金具をかしめた状態を示す断面図である。
【符号の説明】
【００５７】
１…腕装着型生体情報測定装置、１０…本体部、１１…時計ケース、１２…リストバン
ド、２０…ケーブル、３０…脈波センサ（生体情報検出センサ）、４０…センサ装着用サ
ポーター、４２…ケーブル支持部、４２ａ…外側支持部、４２ｂ…内側支持部、４３…ケ
ーブル用穴、４４…アース端子、４４ａ…フランジ部、４７…嵌合爪部、５１…パッキン
、５４…爪部、５７…外側支持部、６１…内部空間、６２…取付ねじ、６３…ケーブル止
め金具、６４…パッキン、６５…スリット、Ｐ…押圧面、Ｓ…接触面、Ｔ…指部（測定部
位）。
【図１】
2009183439.tif 000003
【図２】
2009183439.tif 000004
【図３】
2009183439.tif 000005
【図４】
2009183439.tif 000006
【図５】
2009183439.tif 000007
【図６】
2009183439.tif 000008
【図７】
2009183439.tif 000009